(57)【要約】【課題】携行性を阻害することなく一般電話回線に接続することができ、しかも一般電話回線および無線電話回線の双方からの着信を受けることができる電話機を提供すること。【解決手段】一般電話回線に接続された固定端末としてのアダプタと、該アダプタと着脱可能に構成され、無線電話回線との接続機能を有する携帯電話端末１００とを備えて構成される。そして、前記アダプタが、一般電話回線からの着信情報を携帯電話端末１００に送信する送信手段を有する。また、携帯電話端末１００が、前記アダプタから着信情報を受信した場合に一般電話回線との接続を確立する接続手段として、制御部１０２、無線通信部１１１、アダプタインタフェース１１２を備える。【選択図】      図１
2004274588.tif 000002
【特許請求の範囲】
【請求項１】
一般電話回線に接続された固定端末と、該固定端末と着脱可能に構成され、無線電話回線との通信機能を有する携帯電話端末とを備えて成る電話機であって、
前記固定端末が、前記一般電話回線からの着信情報を前記携帯電話端末に送信する送信手段を有し、
前記携帯電話端末が、前記固定端末から前記着信情報を受信した場合、前記無線電話回線との通信機能を無効にすると共に前記固定端末を介して前記一般電話回線との通信を確立する通信手段を有することを特徴とする電話機。
【請求項２】
前記携帯電話端末が、
前記固定端末に装着された状態にある場合に前記一般電話回線および前記無線電話回線からの各着信を受け付けることを特徴とする請求項１に記載された電話機。
【請求項３】
前記携帯電話端末が、
前記着信情報を受信しないときに前記固定端末から取り外された場合、前記通信手段による通信を遮断することを特徴とする請求項２に記載された電話機。
【請求項４】
前記携帯電話端末が、
利用者により入力された電話番号に基づき、前記一般電話回線および前記無線電話回線について通話料金を予測し、該通話料金に応じて電話回線を選択する選択手段をさらに備えたことを特徴とする請求項１ないし３の何れか１項に記載された電話機。
【請求項５】
前記携帯電話端末が、発信先の電話番号が登録されたテーブルを記憶する記憶部をさらに備え、
前記選択手段は、利用者により入力された電話番号に基づき前記テーブルに登録された発信先を特定し、該発信先について前記一般電話回線および前記無線電話回線の双方の電話番号が登録されている場合、これら各電話回線について通話料金を予測し、該通話料金に応じて電話回線を選択することを特徴とする請求項１ないし４の何れか１項に記載された電話機。
【発明の詳細な説明】
【０００１】
【発明の属する技術分野】
この発明は、一般電話回線（固定電話回線）と無線電話回線（携帯電話回線）とで共用可能な電話機に関する。
【０００２】
【従来の技術】
近年、携帯電話機が普及し、自宅において一般の有線による電話回線への接続契約をしている人の多くが携帯電話機を併用している。この携帯電話機に対して、これまでにさまざまな機能を付加したものが提案されている。例えば、特開平１１−１２２３７５号公報には、携帯電話機に記憶された情報を公衆電話機で利用する技術（以下、第１の従来技術と称す）が開示されている。この第１の従来技術によれば、携帯電話機に記憶された履歴等を公衆電話機で利用して発呼を行うことができる（特許文献１参照）。
【０００３】
また、特開昭６１−１３７４３６号公報には、一般の電話回線と無線回線とを利用する技術（以下、第２の従来技術と称す）が開示されている。この第２の従来技術によれば、ベースユニットにハンドセットを接続することによって有線通話を行い、ハンドセットのみを用いて無線通話を行うことができる（特許文献２参照）。
また、特開平８−３１７０７７号公報には、携帯電話機をＩＳＤＮ回線に接続する技術（以下、第３の従来技術と称す）が提案されている。この第３の従来技術によれば、通話圏外でもＩＳＤＮ回線を介して通話を行うことができる（特許文献３参照）。
【０００４】
また、特開２００２−２９１０３４号公報には、携帯電話機を一般電話回線に接続する技術（以下、第４の従来技術と称す）が提案されている。この第４の従来技術によれば、一般電話回線との接続機能を持つ充電器から電波の届く範囲では、携帯電話機を子機として機能させることができる（特許文献４参照）。
さらに、特開２００２−３５４１１５号公報には、携帯電話機を一般電話回線に接続するための技術（以下、第５の従来技術と称す）が提案されている。この第５の従来技術によれば、１台の携帯電話機で一般電話回線および無線電話回線の双方からの着信を受けることができる（特許文献５参照）。
【０００５】
【特許文献１】
特開平１１−１２２３７５号公報（段落番号００１７，００１８、および図１）
【特許文献２】
特開昭６１−１３７４３６号公報（第７頁の左下欄〜右上欄、および図１〜図３）
【特許文献３】
特開平８−３１７０７７号公報（段落番号００１３，００１４、および図１）
【特許文献４】
特開２００２−２９１０３４号公報（段落番号００１９〜００２３、および図１）
【特許文献５】
特開２００２−３５４１１５号公報（段落番号００１３〜００１６、および図１）
【０００６】
【発明が解決しようとする課題】
しかしながら、上述の第１ないし第４の従来技術によれば、携帯電話機は一般電話回線に接続された状態に置かれ、固定電話機として機能するので、携帯電話機の電話番号に向けた発信があっても、携帯電話機側で受けることができないという問題がある。また、第５の従来技術によれば、携帯電話機がケーブルを介して一般電話回線に接続されるので、通話中の利用者の行動範囲が制約され、携帯電話端末の特徴のひとつである携行性を発揮できないという問題がある。
【０００７】
この発明は、上記事情に鑑みてなされたもので、携行性を阻害することなく一般電話回線に接続することができ、しかも一般電話回線および無線電話回線の双方からの着信を受けることができる電話機を提供することを目的とする。
【０００８】
【課題を解決するための手段】
上記課題を解決するため、この発明は以下の構成を有する。
即ち、この発明は、一般電話回線に接続された固定端末と、該固定端末と着脱可能に構成され、無線電話回線との通信機能を有する携帯電話端末とを備えて成る電話機であって、前記固定端末が、前記一般電話回線からの着信情報を前記携帯電話端末に送信する送信手段を有し、前記携帯電話端末が、前記固定端末から前記着信情報を受信した場合、前記無線電話回線との通信機能を無効にすると共に前記固定端末を介して前記一般電話回線との通信を確立する通信手段を有することを特徴とする。この構成によれば、一般電話回線から着信があると、固定端末は着信情報を携帯電話端末に送信する。この着信情報を受信した携帯電話端末の接続手段は、固定端末を介して一般電話回線と接続する。この時、無線電話回線の接続機能は無効とされる。これにより、一般電話回線を介して携帯電話端末で通話することが可能になる。
【０００９】
また、上記電話機において、前記携帯電話端末が、前記固定端末に装着された状態にある場合に前記一般電話回線および前記無線電話回線からの各着信を受け付けることを特徴とする。
また、上記電話機において、前記携帯電話端末が、前記着信情報を受信しないときに前記固定端末から取り外された場合、前記通信手段による通信を遮断することを特徴とする。
また、上記電話機において、前記携帯電話端末が、利用者により入力された電話番号に基づき、前記一般電話回線および前記無線電話回線について通話料金を予測し、該通話料金に応じて電話回線を選択する選択手段をさらに備えたことを特徴とする。
また、上記電話機において、前記携帯電話端末が、発信先の電話番号が登録されたテーブルを記憶する記憶部をさらに備え、前記選択手段は、利用者により入力された電話番号に基づき前記テーブルに登録された発信先を特定し、該発信先について前記一般電話回線および前記無線電話回線の双方の電話番号が登録されている場合、これら各電話回線について通話料金を予測し、該通話料金に応じて電話回線を選択することを特徴とする。
【００１０】
【発明の実施の形態】
以下、図面を参照して、この発明の実施形態を説明する。
図１に、この実施形態に係る電話機をなす携帯電話端末１００の構成を概略的に示す。この携帯電話端末１００は、無線電話回線を介した一般的な携帯電話としての通話機能に加え、後述する図３に示すアダプタ２００を介して一般電話回線に接続する機能を有し、一般電話回線に接続された後述のアダプタ２００と共に、いわば一般電話回線と無線電話回線とで共用できる電話機を構成する。
図１に示すように、携帯電話端末１００は、表示部１０１、制御部１０２、通信部１０３、アンテナ１０４、音声処理部１０５、送話用のマイクロホン１０６、受話用のスピーカ１０７、着信音用音源１０８、着信音用のスピーカ１０９、操作キー部１１０、無線通信部１１１、アダプタインタフェース１１２、記憶部１１３，１１４、バイブレータ１１５から構成され、これらはバス１１６を介して接続される。
【００１１】
ここで、制御部１０２は、ＣＰＵ（Ｃｅｎｔｒａｌ  Ｐｒｏｃｅｓｓｉｎｇ  Ｕｎｉｔ）から構成され、通話や通信に関する装置全体の動作を制御するものである。通信部１０３は、図示しない無線電話回線（携帯電話回線）との通信処理を行うものであり、アンテナ１０４が接続される。音声処理部１０５は、音声信号を符号化／復号化するものであり、この音声処理部１０５には、マイクロホン１０６およびスピーカ１０７が接続される。着信音用音源１０８は、着信音を合成して再生するものである。操作キー部１１０は、利用者が数字や文字等の各種の情報を入力するためのものであり、通話を開始するための通話ボタンなども含まれる。無線通信部１１１は、後述のアダプタ２００との間の無線通信を行うものであり、アダプタインタフェース１１２は、そのアダプタと電気的に接続して有線による通信を行うものである。
【００１２】
記憶部１１３は、ＲＡＭ（Ｒａｎｄｏｍ  Ａｃｃｅｓｓ  Ｍｅｍｏｒｙ）から構成され、各処理の過程で発生する一時的なデータを格納するものである。この記憶部１１３には、図２に示すように、発信先となる利用者の名前に対応づけて、一般電話回線の電話番号（固定電話番号）と、無線電話回線の電話番号（携帯電話番号）とが登録されたテーブルが電話帳として記憶されている。この例では、名前「山田」および「鈴木」については固定電話番号と携帯電話番号の双方が登録され、名前「佐藤」については固定電話番号のみが登録されている。この実施形態では、固定電話番号および携帯電話番号の双方が登録されている発信先の電話機も、本願に係る電話機のように一般電話回線と無線電話回線とで共用できるものとする。記憶部１１４は、ＲＯＭ（Ｒｅａｄ  Ｏｎｌｙ  Ｍｅｍｏｒｙ）から構成され、上述の制御部１０２が実行する各種の処理プログラムやデータを格納する。バイブレータ１１５は、利用者に着信を通知するための機械的振動を発生するものである。
【００１３】
図３に、この実施形態に係る電話機をなすアダプタ２００の構成を示す。このアダプタ２００は、一般電話回線２０８に接続された固定端末であって、一般電話回線２０８からの着信情報を携帯電話端末１００に出力する出力手段として機能し、無線通信部２０１、携帯電話インタフェース２０２、制御部２０３、通信部２０４、ケーブル２０６、モジュラージャック２０７から構成されている。ここで、無線通信部２０１は、上述の無線通信部１１１との間で無線通信を行うためのものであり、携帯電話インタフェース２０２は、上述のアダプタインタフェース１１２に接続されるものである。ここで、図４に、アダプタ２００と、上述の携帯電話端末１００との外観イメージを示す。この図のように、携帯電話端末１００はアダプタ２００に着脱可能となっており、アダプタ２００に装着された状態では、携帯電話インタフェース２０２がアダプタ２００と電気的に接続された状態となる。また、アダプタ２００は、充電器としての機能も有しており、携帯電話端末１００がアダプタ２００に装着されると、上述の携帯電話インタフェース２０２を介して携帯電話端末１００の二次電池（図示なし）が充電されるようになっている。
【００１４】
以下、この実施形態の動作を説明する。
先ず、図５および図６に示すフローに沿って、携帯電話端末１００の着信動作を説明する。初期状態では、携帯電話端末１００がアダプタ２００に装着され、アダプタインタフェース１１２と携帯電話インタフェース２０２とが電気的に接続された状態となっている。また、携帯電話端末１００は、アダプタインタフェース１１２から出力される着信情報が受信可能な状態となっている。なお、この実施形態では、携帯電話端末１００がアダプタ２００に装着された状態では、無線通信部１１１および無線通信部２０１の各通信機能が共にオフにされ、且つアダプタインタフェース１１２および携帯電話インタフェース２０２の各通信機能がオンにされるものとする。
【００１５】
この初期状態から、携帯電話端末１００の制御部１０２は、図示しない無線電話回線から着信があるか否かを逐次判断し（ステップＳ１０１）、着信があった場合（ステップＳ１０１；ＹＥＳ）、アダプタインタフェース１１２の通信機能をオフにし（ステップＳ１０２）、アダプタ２００側との通信を遮断する。そして、着信音用音源１０８に着信音を再生させ（ステップＳ１０３）、利用者に着信がある旨を報知させる。この間、制御部１０２は、利用者がオフフック操作を行ったか否かを判断し（ステップＳ１０４）、オフフック操作が行われていなければ（ステップＳ１０４；ＮＯ）、処理をステップＳ１０４に戻し、着信音の再生を継続させる。
【００１６】
そして、利用者が、通話のために携帯電話端末１００をアダプタ２００から取り外すと、無線通信部１１１および無線通信部２０１の通信機能がオンにされる。これにより、携帯電話端末１００とアダプタ２００との間の情報の伝達は、それまでのアダプタインタフェース１１２および携帯電話インタフェース２０２に代えて、無線通信部１１１および無線通信部２０１を介して行われるようになる。そして、利用者がオフフック操作を行うために、操作キー部１１０の通話ボタンを押すと（ステップＳ１０４；ＹＥＳ）、制御部１０２は通話処理を行う（ステップＳ１０５）。この通話処理に従って、マイクロホン１０６から入力される利用者の音声信号が音声処理部１０５で符号化され、通信部１０３を介して無線電話回線に送出されると共に、通信部１０４が無線電話回線から音声データを受信し、この音声データが音声処理部１０５で復号化されて通話相手の音声が受話用のスピーカ１０７から放音される。
【００１７】
この間、制御部１０２は、オンフック操作が行われたか否かを逐次判断し（ステップＳ１０６）、オンフック操作が行われていなければ（ステップＳ１０６；ＮＯ）、処理をステップＳ１０５に戻し、それまでの通話処理を継続する。そして、オンフック操作が行われると（ステップＳ１０６；ＹＥＳ）、制御部１０２は通話処理を終了し（ステップＳ１０７）、アダプタ２００との通信機能を回復させる（ステップＳ１０８）。即ち、携帯電話端末１００がアダプタ２００に装着された場合には、アダプタインタフェース１１２および携帯電話インタフェース２０２の各通信機能が回復され、アダプタ２００に装着されない場合には、無線通信部１１１および無線通信部２０１の各通信機能が回復される。
【００１８】
次に、前述のステップＳ１０１において、無線電話回線から着信がないと判断された場合（ステップＳ１０１；ＮＯ）、制御部１０２は、続いてアダプタ２００から着信情報が受信されたか否かを判断し（ステップＳ１０９）、この着信情報が受信されていない場合（ステップＳ１０９；ＮＯ）には上述のステップＳ１０１に処理を戻し、同様の判断処理を繰り返し行う。これに対し、アダプタ２００から着信情報が転送された場合（ステップＳ１０９；ＹＥＳ）、制御部１０２は、無線通信部１０３の通信機能をオフさせ（ステップＳ１１０）、無線電話回線との通信を遮断した後、着信用音源１０８に着信音を再生させる（ステップＳ１１１）。そして、オフフック操作が行われたか否かを判断し（ステップＳ１１２）、オフフック操作が行われていなければ（ステップＳ１１２；ＮＯ）、処理をステップＳ１１１に戻し、着信音の再生を継続させる。
【００１９】
また、携帯電話端末１００がアダプタ２００に装着された状態でアダプタ２００より着信情報を受信している場合、携帯電話端末１００をアダプタ２００から取り外すことでオフフックされるものとし、利用者が通話のために携帯電話端末１００をアダプタ２００から取り外してオフフック操作を行うと（ステップＳ１１２；ＹＥＳ）、制御部１０２は着信音の再生を停止させると共にオフフック信号をアダプタインタフェース１１２からアダプタ２００側に送信する（ステップＳ１１３）。これを受信したアダプタ２００側では、後述するように携帯電話端末１００を一般電話回線に接続するための処理を行い、無線通信部２０１と無線通信部１１１との間の無線通信を確立させる。この無線通信により制御部１０２がアダプタ２００との通話処理を行い（ステップＳ１１４）、これにより通話が可能となる。この間、制御部１０２は、オンフック操作が行われたか否かを逐次判断し（ステップＳ１１５）、オンフック操作が行われなければ（ステップＳ１１５；ＮＯ）、処理をステップＳ１１４に戻して通信処理を継続する。オンフック操作が行われると（ステップＳ１１５；ＹＥＳ）、制御部１０２は通話処理を終了し（ステップＳ１１６）、それまで停止状態にあった通信部１０３の機能を回復させる（ステップＳ１１７）。以上で、携帯電話端末１００の着信動作を説明した。
【００２０】
次に、図７に示すフローに沿って、アダプタ２００の動作を説明する。前述の初期状態において、アダプタ２００の制御部２０３は、一般電話回線からの着信があるか否かを逐次判断する（ステップＳ２０１）。ここで、一般電話回線から着信があった場合（ステップＳ２０１；ＹＥＳ）、制御部２０３は、携帯電話インタフェース２０２を通じて携帯電話端末１００に着信情報を送信する（ステップＳ２０２）。これを受信した携帯電話端末１００は、上述したステップＳ１１０〜Ｓ１１７の処理を実行する。また、制御部２０３は、携帯電話端末１００から上述のステップＳ１１３で送信されるオフフック信号を受信したか否かを逐次判断し（ステップＳ２０３）、これを受信しない場合（ステップＳ２０３；ＮＯ）、処理を上述のステップＳ２０２に戻し、着信情報の送信を継続する。
【００２１】
そして、オフフック信号を受信すると（ステップＳ２０３；ＹＥＳ）、制御部２０３の制御の下、通信部２０４が一般電話回線２０８との通信処理を行い、無線通信部２０１が携帯電話端末１００との通話処理を行う。これにより、携帯電話端末１００がアダプタ２００を介して一般電話回線２０８に接続され、携帯電話端末を用いて一般電話回線による通話が可能となる。この間、制御部２０３は、オンフック操作等により通信が切断されたか否かを逐次判断し（ステップＳ２０５）、切断されていなければ上述のステップＳ２０４に処理を戻し（ステップＳ２０５；ＮＯ）、それまでの通信処理および通話処理を継続する。また、オフフック操作により通信が切断されると（ステップＳ２０５；ＹＥＳ）、一連の通話処理および通信処理を終了する（ステップＳ２０６）。
【００２２】
次に、上述のステップＳ２０１において、一般電話回線からの着信がないと判断された場合（ステップＳ２０１；ＮＯ）、制御部２０３は、後述するステップＳ３１３の発信処理による携帯電話端末１００からの発信情報を受信したか否かを判断し（ステップＳ２０７）、これを受信しない場合（ステップＳ２０７；ＮＯ）、処理を上述のステップ２０１に戻し、同様の判断処理を繰り返し行う。また、発信情報を受信した場合（ステップＳ２０７；ＹＥＳ）、制御部２０３の制御の下、通信部２０４が一般電話回線２０８との通信処理を行い、無線通信部２０１が携帯電話端末１００との通話処理を行い、これにより、アダプタ２００が携帯電話端末１００を一般電話回線２０８に接続し、携帯電話端末１００を用いた通話を可能とする（ステップＳ２０８）。この間、上述と同様に通信が切断されたか否かを逐次判断し（ステップＳ２０９）、オフフック操作により通信が切断されると（ステップＳ２０９；ＹＥＳ）、一連の通話処理および通信処理を終了する（ステップＳ２１０）。以上で、アダプタ２００の動作を説明した。
【００２３】
次に、図８および図９に示すフローに沿って、携帯電話端末１００の発信動作を説明する。前述の初期状態において、制御部１０２は、利用者による発信操作（例えば電話番号の入力）が行われたか否かを逐次判断する（ステップＳ３０１）。発信操作が行われた場合（ステップＳ３０１；ＹＥＳ）、発信先の通話相手の電話機が共用電話であるか否か、即ち固定電話番号と携帯電話番号の双方が図２に示す電話帳（テーブル）に登録されているか否かを判断する（ステップＳ３０２）。共用電話である場合には（ステップＳ３０２；ＹＥＳ）、発信元と発信先の電話回線を選択する（ステップＳ３０３）。即ち、発信先となる共用電話の電話番号として、固定電話番号を使用するのか、携帯電話番号を使用するのかを選択すると共に、発信元となる携帯電話端末１００を固定電話機として機能させるのか、携帯電話機として機能させるのかを選択する。
【００２４】
ここで、上述の発信元と発信先の電話回線の選択は、通話料金を予測し、その結果に応じて行われる。即ち、携帯電話端末１００は、利用者により入力された電話番号に基づき図２に示す電話帳（テーブル）に登録された発信先を特定し、この発信先について固定電話番号および携帯電話番号の双方の電話番号が登録されているかどうかを判別する。そして、双方の電話番号が登録されている場合、一般電話回線と無線電話回線について各通話料金を算出し、より廉価な電話回線を選択する。この例では、電話回線の選択パターンは４通り存在する。第１のパターンは、発信元と発信先の電話回線を共に無線電話回線とするパターンである。第２のパターンは、発信元の電話回線を無線電話回線とし、発信先の電話回線を一般電話回線とするパターンである。第３のパターンは、発信元の電話回線を一般電話回線とし、発信先の電話回線を無線電話回線とするパターンである。第４のパターンは発信元と発信先の電話回線を共に一般電話回線とするパターンである。いずれのパターンを選択するかは、使用時間帯、発信先までの距離を考慮し、通話料金が最も安価となるパターンが選択される。このパターンを選択するためのアルゴリズムは携帯電話端末１００の処理に組み込まれている。また、上述のステップＳ３０２において、発信先が電話帳に登録されていない場合には（ステップＳ３０２；ＮＯ）、発信元の電話回線のみを選択する（ステップＳ３０４）。
【００２５】
上述のステップＳ３０３及びステップＳ３０４での選択結果が、発信元となる携帯電話端末１００を携帯電話機として機能させることを選択したものである場合（ステップＳ３０５；＜携＞）、以下のステップＳ３０６〜Ｓ３１１の処理が実行される。即ち、制御部１０２は、無線通信部１１１およびアダプタインタフェース１１２の各通信機能をオフにし（ステップＳ３０６）、アダプタ２００との通信を遮断する。そして、上述のステップＳ３０３で選択された発信先の電話番号へ発信し（ステップＳ３０７）、無線電話回線との通話処理が行われる（ステップＳ３０８）。この間、制御部１０２は、オンフック操作が行われたか否かを逐次判断し（ステップＳ３０９）、オンフック操作が行われなければ上述のステップＳ３０８に処理を戻し（ステップＳ３０９；ＮＯ）、それまでの通話処理を継続する。また、オンフック操作が行われた場合（ステップＳ３０９；ＹＥＳ）、通話処理を終了し（ステップＳ３１０）、無線通信部１１１およびアダプタインタフェース１１２の各通信機能をオンにし（ステップＳ３１１）、アダプタ２００との間の通信を回復させる。
【００２６】
これに対し、上述のステップＳ３０３での選択結果が、発信元となる携帯電話端末１００を固定電話機として機能させることを選択したものである場合（ステップＳ３０５；＜固＞）、以下のステップＳ３１２〜Ｓ３１８の処理が実行される。即ち、制御部１０２は、通信部１０３の通信機能をオフにし（ステップＳ３１２）、無線電話回線との通信を遮断する。そして、上述のステップＳ３０３で選択された発信先の電話番号に宛てた発信情報をアダプタインタフェース１１２から発信する（ステップＳ３１３）。この発信情報がアダプタ２００で受信されたか否かは、前述のステップＳ２０７で判断され、上述のステップＳ２０８で発信先への発信が行われる（ステップＳ３１４）。これにより、一般電話回線との通信が確立すると、携帯電話端末１００がアダプタ２００との通信処理を行い（ステップＳ３１５）、通話が可能となる。この間、制御部１０２は、オンフック操作が行われたか否か逐次判断し（ステップＳ３１６）、オンフック操作が行われなければ上述のステップＳ３１５に処理を戻し（ステップＳ３１６；ＮＯ）、それまでの通話処理を継続する。また、オンフック操作が行われた場合（ステップＳ３１６；ＹＥＳ）、通信処理を終了し（ステップＳ３１７）、通信部１０３の通信機能をオンさせ（ステップＳ３１８）、無線電話回線との通信が可能な状態に回復させる。以上で、携帯電話端末１００の発信動作を説明した。
【００２７】
以上、この発明の一実施形態を説明したが、この発明は、この実施の形態に限られるものではなく、この発明の要旨を逸脱しない範囲の設計変更等があっても本発明に含まれる。例えば、上述の実施の形態では、携帯電話端末１００がアダプタ２００に装着されている場合、無線通信部１１１および無線通信部２０１の各通信機能をオフさせるものとしたが、オン状態に保つものとしてもよい。
また、上述の実施形態では、発信動作の際、携帯電話端末１００をアダプタ２００から取り外した場合、複数のパターンから電話回線の選択を行うものとしたが、この電話回線の選択を行わず、一般電話回線との通信を強制的に遮断し、無線電話回線からの着信のみを受け付けるものとしてもよい。
【００２８】
【発明の効果】
以上説明したように、この発明によれば、携帯電話端末が、一般電話回線に接続された固定端末から携帯電話端末が着信情報を受信した場合に一般電話回線との通信を確立するようにしたので、携帯電話端末としての携行性を阻害することなく一般電話回線に接続することができ、しかも一般電話回線および無線電話回線の双方からの着信を受けることができる。
また、発信動作の際、通話料金に応じて電話回線を選択するようにしたので、通信料金の安価な電話回線を使用することができる。
【図面の簡単な説明】
【図１】この発明の実施形態に係る携帯電話端末の構成を示すブロック図である。
【図２】この発明の実施形態に係る電話帳（テーブル）の一例を示す図である。
【図３】この発明の実施形態に係るアダプタの構成例を示すブロック図である。
【図４】この発明の実施形態に係る携帯電話端末とアダプタとの外観イメージを示す図である。
【図５】この発明の実施形態に係る携帯電話端末の着信動作（無線電話回線からの着信があった場合）の流れを示すフローチャートである。
【図６】この発明の実施形態に係る携帯電話端末の着信動作（アダプタからの着信情報の受信があった場合）の流れを示すフローチャートである。
【図７】この発明の実施形態に係るアダプタの動作の流れを示すフローチャートである。
【図８】この発明の実施形態に係る携帯電話端末の発信動作（発信先の電話機の選択動作）の流れを示すフローチャートである。
【図９】この発明の実施形態に係る携帯電話端末の発信動作（選択された発信先への発信動作）の流れを示すフローチャートである。
【符号の説明】
１００；携帯電話端末、１０１；表示部、１０２；制御部、１０３；通信部、１０４；アンテナ、１０５；音声処理部、１０６；送話用のマイクロホン、１０８；受話用のスピーカ、１０９；着信音用のスピーカ、１１０；操作キー部、１１１；無線通信部、１１２；アダプタインタフェース、１１３；記憶部（ＲＡＭ）、１１４；記憶部（ＲＯＭ）、１１５；バイブレータ、２００；アダプタ、２０１；無線通信部、２０２；携帯電話インタフェース、２０３；制御部（ＣＰＵ）、２０４；通信部、２０６；ケーブル、２０７；モジュラジャック、２０８；一般電話回線。
【図１】
2004274588.tif 000003
【図２】
2004274588.tif 000004
【図３】
2004274588.tif 000005
【図４】
2004274588.tif 000006
【図５】
2004274588.tif 000007
【図６】
2004274588.tif 000008
【図７】
2004274588.tif 000009
【図８】
2004274588.tif 000010
【図９】
2004274588.tif 000011